(57)【要約】      （修正有）【課題】絵はがきとして使用でき、剥離シートを除去すると滑り止めシートとして利用できる、剥離シート付き滑り止めシートを提供する。【解決手段】絵が印刷されたシート基材３の表面に、ラミネートフィルム５を介して滑り止めニス８による小さな格子模様等を面方向に連続させた凹凸のあるパターンがスクリーン印刷され、シート基材３の裏面に弱粘着力を持つ粘着剤層９が形成された滑り止めシート２と、表面に郵便用の宛先等を記入する欄を有する剥離シート１０とを有し、粘着剤層９の外面を剥離シート１０で覆った。【選択図】図１
0003172799.tif 000002
【実用新案登録請求の範囲】
【請求項１】
紙製又は軟質プラスチック製のシート基材の表面に印刷がされ、この印刷がされた該シート基材の表面にポリエチレンテレフタレート製の透明或いは透光性を有するフィルム又はシートが貼り付けられ、該フィルム又はシートの表面に、滑り止めニスによる小さな格子模様、網目模様、リング模様のいずれかを面方向に連続させた凹凸のあるパターンがスクリーン印刷され、
前記シート基材の裏面に、滑り止めニスによる前記いずれかのパターンと同様のパターンがスクリーン印刷されていることを特徴とする滑り止めシート。
【請求項２】
紙製又は軟質プラスチック製のシート基材の表面に印刷がされ、この印刷された該シート基材の表面にポリエチレンテレフタレート製の透明又は透光性を有するフィルム又はシートが貼り付けられて、該フィルム又はシートの表面に、滑り止めニスによる小さな格子模様、網目模様、リング模様のいずれかを面方向に連続させた凹凸のあるパターンがスクリーン印刷され、
前記シート基材の裏面に弱粘着力を保有する粘着剤層が形成されて、該粘着剤層の下面が剥離シートで覆われていることを特徴とする剥離シート付き滑り止めシート。
【請求項３】
透明又は透光性を有するプラスチック製のシート基材の表面に、滑り止めニスによる小さな格子模様、網目模様、リング模様のいずれかを面方向に連続させた凹凸のあるパターンがスクリーン印刷され、
該シート基材の裏面に該シート基材の表面から透かし見ることができる印刷がされ、この印刷された該シート基材の裏面に、直接、又は該シート基材の裏面に貼り付けたポリエチレンテレフタレート製のフィルム又はシートを介して、前記滑り止めニスによる前記いずれかのパターンと同様のパターンがスクリーン印刷されていることを特徴とする滑り止めシート。
【請求項４】
写真収納部になる透明又は透光性を有する平坦な方形袋状を有するプラスチック製のシート基材の表面に、滑り止めニスによる小さな格子模様、網目模様、リング模様のいずれかを面方向に連続させた凹凸のあるパターンがスクリーン印刷され、
該シート基材の裏面に弱粘着力を保有する粘着剤層が形成されて、該粘着剤層の下面が剥離シートで覆われていることを特徴とする剥離シート付き滑り止めシート。
【請求項５】
透明又は透光性を有する軟質プラスチック製のシート基材の表面に、滑り止めニスによる小さな格子模様、網目模様、リング模様のいずれかを面方向に連続させた凹凸のあるパターンがスクリーン印刷され、
前記シート基材の裏面に該シート基材の表面から透かし見ることができる印刷がされ、この印刷された前記シート基材の裏面に弱粘着力を保有する粘着剤層が形成されて、該粘着剤層の下面が剥離シートで覆われていることを特徴とする剥離シート付き滑り止めシート。
【請求項６】
請求項５に記載の剥離シート付き滑り止めシートにおいて、形状及び大きさがはがきサイズであり、外面に切手貼着部、郵便番号記入欄、宛名記載欄が設けられた前記剥離シートが前記滑り止めシートに貼着された状態では絵はがきになり、前記剥離シートが剥離除去された状態では絵付き滑り止めシートになるように構成されていることを特徴とする剥離シート付き滑り止めシート。
【考案の詳細な説明】
【技術分野】
【０００１】  本考案は、表裏となる両面に滑り止め機能があり、特に、表面の滑り止めが、滑り止めニスをスクリーン印刷法で小さな格子模様、網目模様、リング模様のいずれかを面方向に連続させた凹凸のあるパターンにより行なわれ、裏面の滑り止めが弱粘着力で行なわれる滑り止めシートと、裏面の滑り止め面を剥離シートで保護した剥離シート付き滑り止めシートに関する。
【背景技術】
【０００２】  最近の自動車のダッシュボード上には小物を置くための水平な載置面が設けられており、この載置面上に、携帯電話機、小型デジタルカメラ、携帯型デジタルプレーヤー、手帳、小銭入れ、眼鏡、たばこなどの小物を置くことは、日常的な行為として、よく見受けられる。しかしながら、自動車のダッシュボード上に小物を置くと、走行による振動や慣性力を受けたときに小物が床に落下することがある。【０００３】  自動車の走行中に小物が落下すると、車を安全な停止位置まで移動させて停止させなければ小物を拾うことができない煩わしさがあり、混雑した道路や高速道路上を走行中には自動車をすぐに停止できない場合が多い。走行中に小物を床から拾い上げようとすると、運転を誤って大事故を招く。
このため、自動車の所有者及び運転者ができる範囲では、自動車のダッシュボードを汚損させることなく、小物の落下を抑える対策が必要になる。【０００４】  この対策として滑り止めシートを使用することが従来から提案され、従来における滑り止めシートの滑り止め面は、ゴム系の材料とすることにより、或いは、特許文献１に記載の如く熱成形用シートの上に滑り止め用の発泡インキ層を印刷して形成することにより行なわれていた。【０００５】
【先行技術文献】
【特許文献】
【０００６】
【特許文献１】特開２００９−４５８９０号公報
【考案の概要】
【考案が解決しようとする課題】
【０００７】  しかしながら、ゴム系の材料による滑り止め面は、粘性や弾力が低い場合には、この上に置いた小物に対する滑り方向の摩擦抵抗が低く、前述した事例のような使用では小物の十分な滑り止めが行なえない場合が多い。また滑り止め面をウレタン等の発泡ゴムで形成すると、汚れたときの拭き取りや洗浄が容易でない。
また、上述の如く熱成形用シートと発泡インキ層を用いた滑り止めシート成形品は、製造時に加熱が必要で、コストと時間を抑えた製造を行なうには限界がある。【０００８】  本考案は、滑り止めニスのスクリーン印刷という簡単な作業で滑り止め層が形成され、表面側の滑り止めを小さな格子模様等を面方向に連続させた凹凸のあるパターンとすることにより、高い滑り止め機能を発揮し、裏面側の滑り止めには載置面を汚損させない弱粘着力で行なわれ、更に、写真印刷等の意匠が施された滑り止めシートと、剥離シート付き滑り止めシートを提供することを解決課題とする。
また、この剥離シート付き滑り止めシートによる「絵はがき」であり、剥離シートを除去すると滑り止めシートとして利用できるようにする。
【課題を解決するための手段】
【０００９】  本考案の請求項１に係る滑り止めシートは、
紙製又は軟質プラスチック製のシート基材の表面に印刷がされ、この印刷がされた該シート基材の表面にポリエチレンテレフタレート製の透明或いは透光性を有するフィルム又はシートが貼り付けられ、該フィルム又はシートの表面に、滑り止めニスによる小さな格子模様、網目模様、リング模様のいずれかを面方向に連続させた凹凸のあるパターンがスクリーン印刷され、
前記シート基材の裏面に、滑り止めニスによる前記いずれかのパターンと同様のパターンがスクリーン印刷されている。【００１０】  本考案の請求項２に係る滑り止めシートは、
紙製又は軟質プラスチック製のシート基材の表面に印刷がされ、この印刷された該シート基材の表面にポリエチレンテレフタレート製の透明又は透光性を有するフィルム又はシートが貼り付けられて、該フィルム又はシートの表面に、滑り止めニスによる小さな格子模様、網目模様、リング模様のいずれかを面方向に連続させた凹凸のあるパターンがスクリーン印刷され、
前記シート基材の裏面に弱粘着力を保有する粘着剤層が形成されて該粘着剤層の下面が剥離シートで覆われている。【００１１】  本考案の請求項３に係る滑り止めシートは、
透明又は透光性を有するプラスチック製のシート基材の表面に、滑り止めニスによる小さな格子模様、網目模様、リング模様のいずれかを面方向に連続させた凹凸のあるパターンがスクリーン印刷され、
該シート基材の裏面に該シート基材の表面から透かし見ることができる印刷がされ、この印刷された該シート基材の裏面に、直接、又は該シート基材の裏面に貼り付けたポリエチレンテレフタレート製のフィルム又はシートを介して、前記滑り止めニスによる前記いずれかのパターンと同様のパターンがスクリーン印刷されている。【００１２】  本考案の請求項４に係る剥離シート付き滑り止めシートは、
写真収納部になる透明又は透光性を有する平坦な方形袋状を有するプラスチック製のシート基材の表面に、滑り止めニスによる小さな格子模様、網目模様、リング模様のいずれかを面方向に連続させた凹凸のあるパターンがスクリーン印刷され、
該シート基材の裏面に弱粘着力を保有する粘着剤層が形成されて、該粘着剤層の下面が剥離シートで覆われている。【００１３】  本考案の請求項５に係る剥離シート付き滑り止めシートは、
透明又は透光性を有する軟質プラスチック製のシート基材の表面に、滑り止めニスによる小さな格子模様、網目模様、リング模様のいずれかを面方向に連続させた凹凸のあるパターンがスクリーン印刷され、
前記シート基材の裏面に該シート基材の表面から透かし見ることができる印刷がされ、この印刷された前記シート基材の裏面に弱粘着力を保有する粘着剤層が形成され、該粘着剤層の下面が剥離シートで覆われている。【００１４】  本考案の請求項６に係る剥離シート付き滑り止めシートは、
請求項５に記載の剥離シート付き滑り止めシートにおいて、形状及び大きさがはがきサイズであり、外面に切手貼着部、郵便番号記入欄、宛名記載欄が設けられた前記剥離シートが前記滑り止めシートに貼着された状態では絵はがきになり、前記剥離シートが剥離除去された状態では絵付き滑り止めシートになるように構成されている。
【作用】
【００１５】  上記の各請求項に記載の滑り止めシートは、表面（上面）と裏面（下面）の双方に滑り止め機能を有し、表面における滑り止めは、スクリーン印刷された滑り止めニスによる凹凸のあるパターンにより行なわれる。裏面における滑り止めは、滑り止めニスによる同様の印刷パターン、又は弱粘着力を保有する粘着剤層により行なわれる。
【００１６】  滑り止めニスは若干の粘着力と弾力を保有するため、滑り止めシートの上に置く物品及び滑り止めシートを置く載置面と滑り止めシートとの間において、滑り方向の移動を阻止させる摩擦抵抗が大きくなり、これが滑り止めになる。
【００１７】  また、滑り止めニスによる小さな格子模様、網目模様、リング模様のいずれかを面方向に連続させた凹凸のあるパターンは、滑り止めシートの上に置く小物の凹凸がある場合、及び滑り止めシートを置く面に微細な凹凸や若干の凹凸がある場合に、対向する双方の凹凸が引っ掛り合って滑り方向の移動を阻止させる抵抗力を与える。
【００１８】  また、滑り止めシートの上に置く物品の接触面及び滑り止めシートを置く載置面が円滑面である場合には、これらの面と、滑り止めニスによる多数の小さな格子模様、網目模様、リング模様等の凹凸のあるパターンとの間には、若干の吸着力が生じることによる滑り方向の移動を阻止させる抵抗力が生じることもある。
【００１９】  前記シート基材が紙製である場合、この表面に滑り止めニスを印刷しても、滑り止めニスの接着力が弱い。また、前記シート基材の表面に印刷をして更にその上に滑り止めニスを格子模様等に印刷すると、使用中に印刷個所に汚れが生じ、また、印刷面が傷付き易い。前記フィルム又はシートはこのような事態になるのを防止するためにある。特にポリエチレンテレフタレート製のフィルム又はシートは、滑り止めニスに対する接着性に優れ、透明又は透光性のあるフィルム又はシートは、印刷した絵模様などを上方から透かし見せる。
【考案の効果】
【００２０】  本考案によれば、シート基材の少なくとも表面に、滑り止めニスによる小さな格子模様、網目模様、リング模様のいずれかを面方向に連続させた凹凸のあるパターンをスクリーン印刷した滑り止め面を有する滑り止めシートとした結果、高い滑り止め機能を有し、大きさを問わず簡単かつ短時間で、しかも製造コストを抑えたて滑り止めシートにすることが出来る。
しかも、裏面側の滑り止めが弱粘着力で行なわれるように構成した結果、載置面を汚損させることがなく、繰り返し使用しても載置面に対する密着力を失わない。
また、写真印刷、及び、好みの写真等がある意匠性の高い滑り止めシートにすることが出来る。
とくに、本考案の剥離シート付き滑り止めシートによれば、絵はがきとして利用した後、剥離シートを剥がすと、絵付き滑り止めシートとして再利用出来る。
【図面の簡単な説明】
【００２１】
【図１】（ａ）は第１実施形態に係る剥離シート付き滑り止めシートである絵はがきを裏面側から見た斜視図、（ｂ）は同じく表面側から見た斜視図。
【図２】同じく積層構造を分解して示した斜視図。
【図３】（ａ）は同じく表面の一部拡大図、（ｂ）はその部分正面拡大断面図。
【図４】第２実施形態に係る剥離シート付き滑り止めシートの一部拡大表面図。
【図５】（ａ）は第３実施形態に係る剥離シート付き滑り止めシートの一部破断部を含む表面図、（ｂ）は同じく裏面図。
【図６】（ａ）は同じく積層構造を示した部分拡大断面図、（ｂ）は剥離シートを除去した滑り止めシートの部分拡大断面図、（ｃ）は写真収納部の内部を示した断面図。
【図７】上記各実施形態における滑り止めシートの使用例を示した図。
【図８】（ａ）は第４実施形態に係る滑り止めシートであるコースターの表面図、（ｂ）は同じく保護シートを支持させた状態の裏面図。
【図９】第４実施形態に係る滑り止めシートの積層構造を分解して示した斜視図。
【図１０】この滑り止めシートの積層構造を示した部分拡大断面図。
【図１１】上記コースターの使用状態図。
【図１２】上記各実施形態における滑り止めシートの使用例を示した図。
【考案を実施するための形態】
【００２２】  本考案を実施するための更に具体的な形態を次の実施例において詳述する。
尚、以下の実施例では、剥離シート付き滑り止めシート、滑り止めシートの順で説明する。
【実施例】
【００２３】〔第１実施形態の剥離シート付き滑り止めシート〕
図１（ａ）及び（ｂ）に示す第１実施形態の剥離シート付き滑り止めシート１Ａは、表面に絵が印刷された滑り止めシート２を有し、この滑り止めシート２の裏面に剥離シート１０が貼着された「絵はがき」で構成される。【００２４】  滑り止めシート２は、図１〜図３に示すように、はがき厚さ程度の厚さを有する紙シート製のシート基材３を備える。シート基材３の表面（上面）には、絵が印刷された印刷層４が形成され、印刷層４の上面にはポリエチレンテレフタレート（ＰＥＴ）製の透明なラミネートフィルム５が貼り付けられている。ラミネートフィルム５の上面には、滑り止めニス８が小さな格子状の模様を面方向に連続させたパターンでスクリーン印刷されている。印刷絵は、写真絵の他、筆絵、イラスト図、文字、模様等であっても構わない。【００２５】  滑り止めニス８は、市販の滑り止め用の透明ニスが使用され、スクリーン印刷により、ラミネートフィルムの表面に小さな格子状が面方向に連続したパターン形状に形成されている。図３を見ると、滑り止めニス８による模様パターンがラミネートフィルム５の上面から浮いた位置に示されているが、これは格子状の模様パターンを解り易く示すためであり、実際はラミネートフィルム５の上面にスクリーン印刷されたときにこの模様パターンになる。【００２６】  考案者による試作品によれば、図３（ａ）に示す滑り止めニス８による各格子の好適なる一辺の太さ（Ｓ１）が約０．５ｍｍ、ラミネートフィルム５の表面から滑り止めニス８の上端面までの高さが約０．０５ｍｍ、各格子の縦方向の間隔（Ｓ２）と横方向の間隔（Ｓ３）がいずれも約２．５ｍｍとされている。しかしながら、これらの寸法は本考案を限定するものではない。
このように、絵はがきサイズのラミネートフィルム５の表面には、小さな格子が多数個、面方向に連続して形成されている。【００２７】  粘着剤層９は、弱粘着力があり、耐久性に富むアクリル共重合系の公知の感圧型接着剤が用いられるが、このタイプの接着剤に限定されない。【００２８】  剥離シート１０は、クラフト紙等の紙シート、軟質プラスチック製のシート、プラスチックフィルム製であり、その外面には、一般の絵はがきと同様、切手貼着欄１０ａ、郵便番号記入欄１０ｂ等が印刷されている。１０ｃは宛先記入欄である。【００２９】  剥離シート付き滑り止めシート１Ａを「絵はがき」として使用する場合には剥離シート１０を剥がさない。しかし、滑り止めシート２として再利用する場合には、消印された切手があり、宛先の記入がされているため、再利用しにくい。また、粘着剤層９の下面を露出させて、所望面に貼り付けられるようにする必要がある。このため、滑り止めシート２として使用する場合には、剥離シート１０は除去される。【００３０】〔第２実施形態の剥離シート付き滑り止めシート〕
図４に示す積層構造を有する第２実施形態の剥離シート付き滑り止めシート１Ｂは、滑り止めシート２Ａの裏面に剥離シート１０が支持されたもので構成される。
滑り止めシート２Ａは、ポリエチレンテレフタレート（ＰＥＴ）製の透明シート基材３Ａを備える。透明シート基材３Ａの上面には、滑り止めニス８が小さな格子状の模様を面方向に多数連続させたパターンにスクリーン印刷されている。透明シート基材３Ａの下面には、絵を上方から透視できる向きに裏印刷された印刷層４が形成され、更にその下面に粘着剤層９が形成され、粘着剤層９の外面（下面）が剥離シート１０で覆われている。
この実施形態の剥離シート付き滑り止めシート１Ｂも前記同様の使用目的を保有する「絵はがき」で構成してもよい。【００３１】〔第３実施形態の剥離シート付き滑り止めシート〕
図５及び図６に示す第３実施形態の剥離シート付き滑り止めシート１Ｃは、写真１５を入れることができる滑り止めシート２Ｂの裏面に剥離シート１０が支持されたもので構成される。
写真１５は、例えば、家族や子供、恋人、ペット動物、趣味や風景、好みの歌手や芸能人、プロスポーツ選手等の写真であり、パソコン等のプリンタで印刷した写真も該当する。写真１５は、サービス判サイズ、はがきサイズなどが好適とされるが、必ずしもこれらのサイズに限定されない。【００３２】  滑り止めシート２Ｂは、袋状シート基材３Ｂの表面に、滑り止めニス８による前述と同様の格子パターンがスクリーン印刷され、裏面に弱粘着力を保有する粘着剤層９が形成されたもの構成されている。粘着剤層９に代えて、滑り止めニスを前述と同様の格子パターンでスクリーン印刷することも可能である。【００３３】  袋状シート基材３Ｂは、写真１５を横から挿入して収納できる写真収納部２ａと写真挿入用の開口部２ｃを有する、透明又は透光性のあるプラスチックシートを、折り加工、２枚重ねした側縁の２又は３方を溶着するなどして成形した、平坦な方形袋状に形成されている。【００３４】  滑り止めシート２Ｂの裏面を形成しているシート面には、写真１５を指先で送るための切欠き部２ｄが形成されている。剥離シート１０も同様である。図６（ａ）は滑り止めシート２Ｂの裏面に剥離シート１０が支持された状態で示し、図６（ｂ）は剥離シートを除去した状態で示している。【００３５】  図７は上記の各滑り止めシート２，２Ａ，２Ｂの使用例を示している。
図７によると、各滑り止めシート２，２Ａ，２Ｂは、自動車のダッシュボード４０の水平面４０ａに、低粘着力で貼着されている。このようにすると、滑り止めシート２，２Ａ，２Ｂの上に携帯電話機１００等の小物を置いた状態で自動車の発進及びカーブ走行による慣性力が作用しても、携帯電話機１００には滑り止めニス８による滑り止め機能が働いているため、移動して床に脱落する事態が大幅に抑えられる。【００３６】〔第４実施形態の滑り止めシート〕
図８〜図１０に示す第３実施形態の滑り止めシート２Ｃは、柔軟性のあるプラスチック製の透明シート基材３Ｃを備える。このプラスチックは、後述する滑り止めニスの接着性が優れるポリエチレンテレフタレート（ＰＥＴ）であることが好ましい。【００３７】  透明シート基材３Ｃの表面には、滑り止めニス８による前述と同様のパターンがスクリーン印刷されている。透明シート基材３Ｃの裏面には、透明シート基材３Ｃの表面から透かし見ることができる絵等による印刷層４が裏印刷により形成され、印刷層４を含めた透明シート基材３Ｃの裏面に、滑り止めニス８による前述と同様のパターンがスクリーン印刷されている。図８の（ａ）及び（ｂ）並びに図９に示す斜線部は、印刷層４を透明部分と対比するために描かれている。【００３８】  図８（ｂ）によると、滑り止めシート２Ｃの裏面は保護シート１１で覆われている。保護シート１１は、未使用状態の滑り止めシート２Ｃがポリエチレン袋等の周辺部位に不用意に付着するのを防止する。図示していないが、未使用状態では、滑り止めシート２Ｃの両面を円形の透明ポリエチレンフィルムで覆うようにしてもよい。保護シートは剥離シートとも言い換えられる。【００３９】  図８の（ａ）及び（ｂ）並びに図９に示す円板形状の滑り止めシート２Ｃは、例えば、コースターとして使用される。
即ち、図１１に示すように、テーブル５０の上に飲料用グラス６０を置くときに、グラス６０の下にこのコースター（Ｋ）を敷くと、グラス６０の置いた姿勢が安定する。また、グラス６０に付着した水滴が垂れ落ちても、コースターＫ上面の細かな凹内に溜まるため、手や衣服の袖口がコースターＫに触れても濡れない。【００４０】  本考案は、上記の各滑り止めシート２，２Ａ，２Ｂ，２Ｃによる積層構造であれば足り、上述した「絵はがき」「コースター」などの使用に限定されない。例えば、机の上に貼り付けてマウスパッドとして使用することも可能であり、また、玄関マットサイズ、階段のステップサイズ、消費者が購入後に所望の大きさに裁断できる壁紙１枚程度のサイズなど、大きなサイズのロール紙状態で販売することも可能である。剥離シートに裁断用の寸法入り線及び方眼が印刷されてもよい。【００４１】  また、図１２に示すように、滑り止めシート２，２Ａ，２Ｂ，２Ｃを、大型商業施設の床７０の上に敷いて使用する、案内表示を兼ねた滑り止めシートＢＳとして用いることも可能である。
【産業上の利用可能性】
【００４２】  本考案に係る滑り止めシートと、剥離シート付き滑り止めシートは、滑り止めを必要とするあらゆる産業分野において利用可能性がある。
【符号の説明】
【００４３】    １Ａ  第１実施形態の剥離シート付き滑り止めシート
１Ｂ  第２実施形態の剥離シート付き滑り止めシート
１Ｃ  第３実施形態の剥離シート付き滑り止めシート
２    滑り止めシート
２Ａ  滑り止めシート
２Ｂ  滑り止めシート
２Ｃ  滑り止めシート
３    シート基材
３Ａ  透明シート基材
３Ｂ  袋状シート基材
３Ｃ  透明シート基材
３ｂ  写真収納部
４    印刷層
５    ラミネートフィルム
８    滑り止めニス
９    粘着剤層
１０    剥離シート
１１    保護シート
１５    写真
Ｋ    コースター
１００    携帯電話機
ＢＳ    案内表示を兼ねた滑り止めシート
【図１】
0003172799.tif 000003
【図２】
0003172799.tif 000004
【図３】
0003172799.tif 000005
【図４】
0003172799.tif 000006
【図５】
0003172799.tif 000007
【図６】
0003172799.tif 000008
【図７】
0003172799.tif 000009
【図８】
0003172799.tif 000010
【図９】
0003172799.tif 000011
【図１０】
0003172799.tif 000012
【図１１】
0003172799.tif 000013
【図１２】
0003172799.tif 000014